(57)【要約】【課題】ＥＰＧを用いた所望の放送番組の検索を、索引検索によって行う。【解決手段】フラッシュメモリに記憶された多数の単語から構成される辞書ファイルを元に、ＥＰＧが有する放送番組情報の番組タイトル及び番組内容から単語を抽出し、単語毎にどの放送番組情報で用いられているのかを抽出し、索引データを作成する。例えばユーザが茄子料理に関する放送番組の視聴を所望する場合、図８（ｂ）に示すように、索引から「な行」を選択し、表示される「茄子」を選択することで、図８（ｃ）に示すように、番組タイトル若しくは番組内容に「茄子」が含まれる放送番組を抽出することができる。【選択図】図８
2008219749.tif 000002
【特許請求の範囲】
【請求項１】
ＥＰＧの表示及びＥＰＧを用いた録画または視聴予約が可能なＥＰＧ機能を搭載した電子機器において、
多数の単語を記憶する辞書ファイルを記憶する辞書ファイル記憶手段と、
ＥＰＧが有する放送番組情報に含まれる語句を前記辞書ファイル記憶手段に記憶される辞書ファイルに基づき一覧化し、索引リストを作成する索引生成手段と、
該索引生成手段により生成された索引リストを一時的に記憶する索引リスト記憶手段と、
前記索引リスト記憶手段に記憶された索引リストを表示する索引リスト表示手段を備えたことを特徴とするテレビジョン放送受信装置。
【請求項２】
前記辞書ファイルは、単語の意味を一意に特定するコードと、該コードによって示される単語の意味と合致する１つ以上の単語から構成されることを特徴とする請求項１記載のテレビジョン放送受信装置。
【請求項３】
前記コードは属性を有し、前記索引生成手段は前記属性に基づいて、属性別索引リストを生成することを特徴とする請求項１又は２記載のテレビジョン放送受信装置。
【請求項４】
前記索引生成手段は、前記ＥＰＧが有する放送番組情報から特定の文字列を検出し、該特定の文字列が検出された際、続く文字列を固有名詞として前記辞書に含まれて居ない場合においても索引リストに加え、生成を行うことを特徴とする請求項１から３の何れか１項記載のテレビジョン放送受信装置
【請求項５】
前記電子機器は、ネットワーク接続手段を有し、前記辞書ファイルは、前記ネットワーク接続手段を介して所定の辞書ファイル供給サーバに接続し、随時更新可能であることを特徴とする請求項１から４の何れか１項記載のテレビジョン放送受信装置。
【発明の詳細な説明】
【技術分野】
【０００１】
本発明は、ユーザが目的とする放送番組の発見を容易とするための検索方法として索引検索を備えたテレビジョン放送受信装置に関する。
【背景技術】
【０００２】
近年、放送番組の一覧としてＥＰＧ（電子番組ガイド）が利用されている。このＥＰＧを使用することによるユーザの利便性を更に向上させるため、種々の方法が開示されている。
【０００３】
例えば特許文献１では、ＥＰＧに含まれる放送番組のタイトルや内容を示す情報の、様々な漢字に対して、読み方を登録した辞書ファイルを用いて、ＥＰＧ情報には含まれていない「漢字の読み」を付与し、音声認識等装置によって当該漢字を認識させることを容易とし、ユーザが漢字の含まれた放送番組を音声認識によって選択することを可能とする構成が開示されている。
【０００４】
しかしながら、特殊な読みや新語等に対応するには辞書ファイルを随時更新しなくてはならず、特許文献１の方法ではユーザが正しい読みを発声したとしても、装置側ではその読みによる単語を特定できないことがあった。これを解決するため特許文献２では、ＥＰＧの情報に「漢字の読み」が付与されているような場合、これを動的辞書として蓄積し、同じ漢字が用いられ、且つ読みが付与されていない他の放送番組においても、動的辞書に蓄積された「漢字の読み」を用いて音声認識による放送番組の選択を可能とする構成が開示されている。
【０００５】
また、一般的にＥＰＧの検索の方法として、ユーザの録画予約等の履歴からユーザの嗜好（例えばジャンルや時間帯、出演する著名人等）から判別して自動的に放送番組を抽出する方法や、キーワードの入力による放送番組の抽出する方法が用いられている。
【０００６】
【特許文献１】特開２００１−２２３７４号公報
【特許文献２】特開２００５−２２７５４５号公報
【発明の開示】
【発明が解決しようとする課題】
【０００７】
しかしながら、特許文献１及び２の何れの方法もＥＰＧ情報の漢字に対し「読み」を付与するというものであり、音声認識装置を備えていないテレビジョン放送受信装置においては、利便性の向上を著しく図るものではない。
【０００８】
また、一般的に用いられているキーワード入力による検索方法では、ユーザがそのキーワードを正しく記憶し入力する必要があり、ユーザがキーワードを正しく記憶していなかったり、入力が誤っていた場合は、ユーザが所望する放送番組の抽出は困難であった。
【０００９】
本発明は上記課題を鑑みてなされたものであり、膨大な放送番組のリストから放送番組の内容に含まれる単語を用いて索引検索により所望の放送番組を特定することが可能なテレビジョン放送受信装置を提供することを目的とする。
【課題を解決するための手段】
【００１０】
請求項１に係るテレビジョン放送受信装置は、ＥＰＧの表示及びＥＰＧを用いた録画予約が可能なＥＰＧ機能を搭載した電子機器において、
多数の単語を記憶する辞書ファイルを記憶する辞書ファイル記憶手段と、
ＥＰＧが有する放送番組情報に含まれる語句を前記辞書ファイル記憶手段に記憶される辞書ファイルに基づき一覧化し、索引リストを作成する索引生成手段と、
該索引生成手段により生成された索引リストを一時的に記憶する索引リスト記憶手段と、
前記索引リスト記憶手段に記憶された索引リストを表示する索引リスト表示手段を備えたことを特徴とする。
【００１１】
請求項１の構成によれば、ＥＰＧ情報によって列挙される放送番組情報を、該放送番組情報に含まれる語句毎に索引として分類することができ、ユーザは所望の語句により放送番組の索引検索を行うことができる。
【００１２】
請求項２に係るテレビジョン放送受信装置は、請求項１記載のテレビジョン放送受信装置において、前記辞書ファイルは、単語の意味を一意に特定するコードと、該コードによって示される単語の意味と合致する１つ以上の単語から構成されることを特徴とする。
【００１３】
請求項２の構成によれば、番組のタイトルや番組内容に含まれる単語と同じ意味を示す異なる単語を、索引リストに加えることができる。
【００１４】
請求項３に係るテレビジョン放送受信装置は、請求項１又は２記載のテレビジョン放送受信装置において、前記辞書ファイルに含まれる単語は属性を有し、前記索引生成手段は前記属性に基づいて、属性別索引リストを生成することを特徴とする。
【００１５】
請求項３の構成によれば、単語毎にその単語をカテゴライズする属性（例えば人名・地名・食品等）を有し、ユーザが放送番組の索引検索をする際に、直接単語を探す前に大まかな絞込みを行うことができる。
【００１６】
請求項４に係るテレビジョン放送受信装置は、請求項１から３の何れか１項記載のテレビジョン放送受信装置において、前記索引生成手段は、前記ＥＰＧが有する放送番組情報から特定の文字列を検出し、該特定の文字列が検出された際、続く文字列を固有名詞として前記辞書に含まれて居ない場合においても索引リストに加え、生成を行うことを特徴とする。
【００１７】
請求項４の構成によれば、例えばＥＰＧの放送番組情報から特定の文字列「出演」や「監督」、「ロケ地」等が検出された場合、続く文字列が辞書ファイルに含まれていなくとも、人名や地名といった固有名詞として索引リストに加えることができる。
【００１８】
請求項５に係るテレビジョン放送受信装置は、請求項１から４の何れか１項記載のテレビジョン放送受信装置において、前記電子機器は、ネットワーク接続手段を有し、前記辞書ファイルは、前記ネットワーク接続手段を介して所定の辞書ファイル供給サーバに接続し、随時更新可能であることを特徴とする。
【００１９】
請求項５の構成によれば、ネットワーク接続によって辞書ファイルを随時最新のものに更新することができる。
【００２０】
請求項５の構成によれば、例えば「聖徳太子」という単語と「厩戸皇子」という単語を、同義語として索引リストを生成する事ができる。
【発明の効果】
【００２１】
請求項１に係るテレビジョン放送受信装置は、ＥＰＧの表示及びＥＰＧを用いた録画予約が可能なＥＰＧ機能を搭載した電子機器において、
多数の単語を記憶する辞書ファイルを記憶する辞書ファイル記憶手段と、
ＥＰＧが有する放送番組情報に含まれる語句を前記辞書ファイル記憶手段に記憶される辞書ファイルに基づきリスト化し、索引リストを作成する索引生成手段と、
該索引生成手段により生成された索引リストを一時的に記憶する索引リスト記憶手段と、
前記索引リスト記憶手段に記憶された索引リストを表示する索引リスト表示手段を備えたので、辞書ファイルに基づいて放送番組情報に含まれる語句が索引リストとして表示され、ユーザが語句を正しく把握することなく、表示された語句から所望の語句を選択するだけで、目的の放送番組の検索を行うことができる。
【００２２】
請求項２に係るテレビジョン放送受信装置は、請求項１記載のテレビジョン放送受信装置において、前記辞書ファイルは、単語の意味を一意に特定するコードと、該コードによって示される単語の意味と合致する１つ以上の単語から構成されるので、同義語を索引リストに加えることができ、ユーザが索引から選んだ単語と同じ意味を持つ単語が、ＥＰＧが有する番組のタイトル若しくは番組の内容に含まれていた場合でも、当該放送番組を抽出することができる。
【００２３】
請求項３に係るテレビジョン放送受信装置は、請求項１又は２記載のテレビジョン放送受信装置において、前記辞書ファイルに含まれる単語は属性を有し、前記索引生成手段は前記属性に基づいて、属性別索引リストを生成するので、ユーザは索引リストの語句を選択する際に、目的とする語句を属性によって絞り込むことができ、膨大な索引リストから目的の語句を速やかに選択することができる。
【００２４】
請求項４に係るテレビジョン放送受信装置は、請求項から３の何れか１項記載のテレビジョン放送受信装置において、前記索引生成手段は、前記ＥＰＧが有する放送番組情報から特定の文字列を検出し、該特定の文字列が検出された際、続く文字列を固有名詞として前記辞書に含まれて居ない場合においても索引リストに加え、生成を行うので、辞書ファイルに無い人名・地名等の固有名詞を索引リストに加えることができ、利便性が向上する。
【００２５】
請求項５に係るテレビジョン放送受信装置は、請求項１から４の何れか１項記載のテレビジョン放送受信装置において、前記電子機器は、ネットワーク接続手段を有し、前記辞書ファイルは、前記ネットワーク接続手段を介して所定の辞書ファイル供給サーバに接続し、随時更新可能であるので、新語等従来の辞書ファイルに無い語句の追加が容易であると共に、特定のジャンルにおいてより多くの語句を含む辞書ファイル等を供給することができる。
【発明を実施するための最良の形態】
【００２６】
以下、本発明を実施するための最良の形態としての実施例を図１から図８を参照して説明する。もちろん、本発明は、その発明の趣旨に反さない範囲で、実施例において説明した以外のものに対しても容易に適用可能なことは説明を要するまでもない。
【００２７】
図１〜図８は、本発明の実施例を示し、図１は、本実施例におけるテレビジョン放送受信装置たるテレビジョン受像機を示すブロック図である。図３は、テレビジョン受像機における辞書ファイルの自動更新の際の動作を示すフローチャートである。図４は、テレビジョン受像機における、ユーザによる辞書ファイルの手動更新の際の動作を示すフローチャートである。図２は、テレビジョン受像機と辞書ファイルを提供するための辞書ファイルサーバとのネットワーク経路を概念的に示すブロック図である。図６はＥＰＧにおける、ある放送番組の放送番組情報を示し、図５は辞書ファイルの登録例を示し、図７は、索引リストを表示する際に用いる索引データを示している。図８は、ＥＰＧの放送番組情報から索引リストを生成し、その索引リストを用いて放送番組を選択する過程の表示例を示している。
【００２８】
本実施例におけるテレビジョン放送受信装置の構成について、図１に基づいて説明する。１はテレビジョン放送を受信可能なテレビジョン放送受信装置たるテレビジョン受像機である。２は、図示しないアンテナにより受信したディジタル放送信号を重畳した放送波を処理するチューナである。３はチューナにより受信したディジタル放送信号を処理するディジタル部である。３１はディジタル部３を含めたテレビジョン受像機１の動作の制御を行う制御部である。３２はディジタル部３の動作の際に必要な一時記憶領域たるＳＤＲＡＭである。ＳＤＲＡＭ３２には、後に詳述する索引リスト３２ａを作成し表示するため一時的に記憶する。３３はディジタル部３の動作の際に必要な情報を記憶するためのフラッシュメモリである。フラッシュメモリ３３は、後述のネットワークを介してダウンロードした辞書ファイルを、辞書ファイル格納領域３３ａに蓄積する。３４はチューナで受信した信号から、ディジタルＴＳ（Ｔｒａｎｓｐｏｒｔ  Ｓｔｒｅａｍ)を取り出す処理を行うＯＦＤＭ  ＤＥＭＯＤＵＬＡＴＯＲである。４は外部入力端子やチューナ２より入力されるアナログ信号をディジタルデータに変換するアナログ−ディジタルコンバータである。５は、受信したディジタル映像や、ディジタルにコンバートされたアナログ信号を、ＩＰ変換（Ｉｎｔｅｒｌａｃｅ−Ｐｒｏｇｒｅｓｓｉｖｅ変換）したり、ＬＣＤパネルに適した解像度に変換したりする処理を行うスケーラＩＣである。６はスケーラＩＣ５からの出力を、ＬＣＤパネルに接続する為の信号形式に変換する処理を行うＬｏｗ  Ｖｏｌｔａｇｅ  Ｄｉｆｆｅｒｅｎｔｉａｌ  Ｓｉｇｎａｌｉｎｇ  ＩＣ（以下  ＬＶＤＳ  ＩＣと称呼する）である。７は映像を表示するためのＬＣＤパネルである。８は本体キー９や、受光部１０を介したリモコン１１によるユーザの操作を受信する操作受信部である。１２はネットワークと接続し、辞書ファイルをダウンロードするための通信処理部である。
【００２９】
次に、テレビジョン受像機１が辞書ファイルを受信する際のネットワーク構造について、図２に基づいて説明する。テレビジョン受像機１は通信処理部１２によってネットワークと接続する。ネットワークはルータ１０１及びモデム１０２を介してＩＳＰ（Ｉｎｔｅｒｎｅｔ  Ｓｅｒｖｉｃｅ  Ｐｒｏｖｉｄｅｒ）１０３と接続する。ＩＳＰ１０３はインターネット１０４と接続し、テレビジョン受像機１のリクエストに応じたサーバにアクセスする。テレビジョン受像機１が予め辞書ファイルを提供するサーバ１０５のアドレスを記憶しており、これに基づきルータ１０１、モデム１０２、ＩＳＰ１０３及びインターネット１０４を介して辞書ファイルを提供するサーバ１０５にアクセスし、辞書ファイルをダウンロードする。
【００３０】
続いて、辞書ファイルの自動更新の際のテレビジョン受像機１の動作について図３に基づいて説明する。予めテレビジョン受像機１に辞書ファイルを更新するサイクルを記憶しておき、そのサイクルが訪れたかどうかを判別する（Ｓ１０１）。前述ようにインターネット１０４を介してサーバ１０５に接続する。テレビジョン受像機１が利用可能な辞書ファイルがサーバ１０５に存在するかどうかを判別する（Ｓ１０３）。サーバ上の辞書ファイルのバージョン情報を取得する（Ｓ１０４）。サーバ上の辞書ファイルとテレビジョン受像機１の辞書ファイルのバージョンを比較し、更新されているかを判別する（Ｓ１０５）。更新されている場合は、辞書ファイルのダウンロードを開始する（Ｓ１０６）。ダウンロードが終了したら、フラッシュメモリ３３の辞書ファイル格納領域３３ａへ更新する（Ｓ１０７）。以上のように説明した辞書ファイルの自動更新は、基本的な語句を対象とした基本辞書等の多くのユーザが共通して利用するような辞書ファイルの更新に適している。
【００３１】
続いて、辞書ファイルの手動更新の際のテレビジョン受像機１の動作について図４に基づいて説明する。ユーザによる手動更新の指示がされたら、インターネット１０４を介してサーバ１０５に接続する（Ｓ２０１）。テレビジョン受像機１が利用可能な辞書ファイルの一覧を取得し、表示する（Ｓ２０２）。取得した一覧からユーザが利用を所望するファイルの選択を受け付ける（Ｓ２０３）。選択された辞書ファイルをダウンロードするか否かの確認入力を表示する（Ｓ２０４）。「ダウンロードする」が選択されたかどうかを判別し（Ｓ２０５）、「ダウンロードする」が選択された場合はサーバ１０５から辞書ファイルをダウンロードする（Ｓ２０６）。ダウンロードが終了したら、フラッシュメモリ３３の辞書ファイル格納領域３３ａへ更新する（Ｓ２０７）。
【００３２】
上述の辞書ファイルの構成について、図５に基づいて説明する。辞書ファイルは、単語の意味を一意に特定するための単語番号を採番する。ここで１つの単語番号に複数の単語を有するのは、類義語を同じ意味の単語として扱う為である。（図５では類義語の単語を[]内に記述している。）また、複数の単語を１つまたは複数のジャンルにカテゴライズするために、単語番号１つに対して１つまたは複数の属性値を有する。
【００３３】
続いて、索引リストの作成手順について、ある放送番組のＥＰＧの放送番組情報の一例を元に図６に基づいて説明する。索引リストを生成する為に、放送番組毎に放送番組を一意に特定するための「番組番号」を割り当てる。ＥＰＧにおける放送番組情報は、放送番組のタイトルである「番組タイトル」、さらに番組のおおよその内容を示す「番組内容」の２種から構成される。この番組タイトルと番組内容から、前述に辞書ファイルに登録される単語により抽出を行う。例えば、図６に示すように番組タイトル及び番組内容から単語を抽出する（矩形により囲まれたものが辞書ファイルに登録された単語であるとする）。
【００３４】
番組タイトルと番組内容からの単語の抽出が完了したら、索引データを作成する。図７に示すように、単語番号毎にどの番組番号の番組タイトル又は番組内容で用いられているかをリスト化する。図５及び図６の例では、単語番号２５２８の「ナトリウム」と単語番号２５３１の「七不思議」は番組番号１５５８で用いられているため、図７に示す索引データでは単語番号２５２８「ナトリウム」及び単語番号２５３１「七不思議」のそれぞれに、番組番号１５５８が属すことになる。図７によれば単語番号２５２８「ナトリウム」は番組番号１５５８の放送番組以外にも多数の放送番組の番組タイトル若しくは番組内容で用いられていることが把握できる。
【００３５】
上記のようにして作成された索引データを用いて、実際に放送番組の検索を行う方法について、図８に基づいて説明する。図８（ａ）は、ジャンルを「全部」とし、「な行」を選択して単語を絞り込んだ場合の索引表示例である。この状態から、ジャンルを「食物」とすると、図８（ｂ）に示すように「な行」の語句から属性が食物を示すもののみを抽出して表示する。その後、例えば「茄子」を選択し、「決定」を押すと、前述の索引データに基づき、図８（ｃ）に示すように「茄子」が番組タイトル若しくは番組内容に含まれる放送番組情報を一覧として表示する。この際、指定された「茄子」はハイライト表示とする。また同義語を扱える為、「ナス」が番組タイトル若しくは番組内容に含まれる放送番組情報も一覧として表示することができる。
【００３６】
以上のようなテレビジョン受像機１の構成によれば、ユーザは所望の内容の放送番組を検索する際に、キーワードを正確に覚えている必要性がなく、表示された索引を選択するだけで放送番組の抽出を行うことができる。また、一般的に用いられる家電製品にはキーボード等の語句の入力に適した操作装置を持っていないため、キーワードを入力する際、漢字等の入力を行うには手間がかかっていたが、本実施例のような索引リストを用いることで、ユーザはカーソルキーと決定・キャンセルといった従来から用いられるリモコン装置のキー配列でも容易に検索を行うことができる。また、辞書ファイルを例えばスポーツ選手に特化した辞書ファイルを用意し、辞書ファイルサーバにて頒布することで、ユーザの嗜好に沿った詳細な索引リストの作成を行うことも可能となる。
また辞書に登録する単語は、番組情報を検索するのにふさわしい単語にするので、例えば「しかし」や「である」のように、検索対象としてふさわしくない語句は、生成した索引リストには現れない為、より容易に検索を行う事ができる。
【００３７】
以上、本発明の実施例について詳述したが、本発明は前記実施例に限定されるものではなく、本発明の要旨の範囲内で種々の変形実施が可能である。例えば、テレビジョン放送受信装置をテレビジョン受像機としたが、これに限定せず、テレビジョン放送電波が受信可能な電子機器、例えばＤＶＤレコーダのような記録再生装置であっても何ら問題はない。また、索引リストをＳＤＲＡＭ３２に、辞書ファイルをフラッシュメモリに記憶するとしたが、記憶媒体をこれらに限定するものではなく、例えばＨＤＤといった記憶媒体に記憶しても良い。
【図面の簡単な説明】
【００３８】
【図１】本発明の実施例における、テレビジョン受像機の構成を示すブロック図。
【図２】同上、ネットワークの構成を示すブロック図。
【図３】同上、辞書ファイルの自動更新時におけるテレビジョン受像機の動作を示すフローチャート。
【図４】同上、辞書ファイルの手動更新時におけるテレビジョン受像機の動作を示すフローチャート。
【図５】同上、辞書ファイルのレイアウト例を示す説明図。
【図６】同上、ＥＰＧにおける放送番組情報の一例を示す説明図。
【図７】同上、索引データの一例を示す説明図。
【図８】同上、索引検索による放送番組の抽出画面の例であり、（ａ）はジャンルを絞り込まない場合、（ｂ）はジャンルを絞り込んだ場合、（ｃ）は索引を選択し放送番組の一覧を表示した場合を示す説明図である。
【符号の説明】
【００３９】
１  テレビジョン受像機（テレビジョン放送受信装置）
２  チューナ
３  ディジタル部
３１  制御部（索引生成手段及び索引リスト表示手段）
３２  ＳＤＲＡＭ（索引リスト記憶手段）
３３  フラッシュメモリ（辞書ファイル記憶手段）
１２    通信処理部（ネットワーク接続手段）
【図１】
2008219749.tif 000003
【図２】
2008219749.tif 000004
【図３】
2008219749.tif 000005
【図４】
2008219749.tif 000006
【図５】
2008219749.tif 000007
【図６】
2008219749.tif 000008
【図７】
2008219749.tif 000009
【図８】
2008219749.tif 000010